(57)【特許請求の範囲】
【請求項１】
画像を表示する表示部と、
所定のタイミングで、前記表示部に、前記画像と広告情報を示す画像とを同時または切り替えて表示する表示制御部と、
前記広告情報を予め取得して保持する保持部と、
前記広告情報と、前記広告情報に関連付けされるとともに前記広告情報を表示するタイミングを示すタイミング信号とを取得する取得部とを備え、
前記取得部は、前記広告情報と前記タイミング信号とを異なる地点で別々に取得し、
前記タイミング信号の発信元は、複数の地点に設置されている前記広告情報の広告主の店舗、又は複数の地点に設置されているアクセスポイントであり、
前記表示制御部は、前記タイミング信号に自装置の使用位置を示す情報を加味して前記広告情報を表示する
ことを特徴とするウェアラブルディスプレイ。
【請求項２】
請求項１に記載のウェアラブルディスプレイにおいて、
前記表示部は、ユーザの片眼に対して前記画像を表示する
ことを特徴とするウェアラブルディスプレイ。
【請求項３】
請求項１に記載のウェアラブルディスプレイにおいて、
前記表示制御部は、前記広告情報を示す画像を一定時間表示するとともに、前記広告情報を示す画像を表示中に、前記広告情報を示す画像の輝度、コントラスト、γ補正値、エッジ強調度のうち少なくとも１つを経時的に変化させる
ことを特徴とするウェアラブルディスプレイ。
【請求項４】
請求項１に記載のウェアラブルディスプレイにおいて、
前記表示制御部は、前記広告情報を示す画像を一定時間表示するとともに、前記広告情報を示す画像を表示中に、前記広告情報を示す画像の大きさ、表示位置、画像内容のうち少なくとも１つを経時的に変化させる
ことを特徴とするウェアラブルディスプレイ。
【請求項５】
請求項１に記載のウェアラブルディスプレイにおいて、
前記表示制御部は、前記広告情報を示す画像として動画像を表示する
ことを特徴とするウェアラブルディスプレイ。
【請求項６】
請求項１に記載のウェアラブルディスプレイにおいて、
前記取得部は、前記タイミング信号として、前記広告情報を取得してから前記表示部に表示するまでの時間を示す信号、または、前記広告情報を前記表示部に表示する時刻を示す信号を取得する
ことを特徴とするウェアラブルディスプレイ。
【請求項７】
請求項１に記載のウェアラブルディスプレイにおいて、
複数の前記広告情報と、前記複数の広告情報のうち前記表示部に表示すべき広告情報を選択するための選択情報とを関連付けて取得する取得部をさらに備える
ことを特徴とするウェアラブルディスプレイ。
【発明の詳細な説明】
【技術分野】
【０００１】
本発明は、ユーザの頭部に装着可能なウェアラブルディスプレイに関する。
【背景技術】
【０００２】
近年、表示素子の小型化などにより、小型で携帯可能なＨＭＤ（Ｈｅａｄ  Ｍｏｕｎｔ  Ｄｉｓｐｌａｙ）などのウェアラブルディスプレイに関する技術が考えられている。特許文献１の発明では、旅客の行き先方向に対応した所在位置の広告情報を案内させて、旅客の行き先や個人により興味の異なる旅客毎に適した無駄のない広告案内を実現させる方法が提案されている。
【特許文献１】特開２００１−３０６６０５号公報
【発明の開示】
【発明が解決しようとする課題】
【０００３】
しかし、上述した特許文献１の発明では、広告情報が常に案内されるため、通常の画像観察と組み合わせると、本来鑑賞したい画像の鑑賞を妨げる場合がある。また、広告情報を常に案内するため、ユーザの注意を喚起し続けることが困難な場合がある。
本発明のウェアラブルディスプレイは、通常の画像の観察中に、ユーザの注意を喚起しつつ、効果的に広告情報を提供することを目的とする。
【課題を解決するための手段】
【０００４】
本発明のウェアラブルディスプレイは、画像を表示する表示部と、所定のタイミングで、前記表示部に、前記画像と広告情報を示す画像とを同時または切り替えて表示する表示制御部と、前記広告情報を予め取得して保持する保持部と、前記広告情報と、前記広告情報に関連付けされるとともに前記広告情報を表示するタイミングを示すタイミング信号とを取得する取得部とを備え、前記取得部は、前記広告情報と前記タイミング信号とを異なる地点で別々に取得し、前記タイミング信号の発信元は、複数の地点に設置されている前記広告情報の広告主の店舗、又は複数の地点に設置されているアクセスポイントであり、前記表示制御部は、前記タイミング信号に自装置の使用位置を示す情報を加味して前記広告情報を表示する。
なお、好ましくは、前記表示部は、ユーザの片眼に対して前記画像を表示しても良い。
また、好ましくは、前記表示制御部は、前記広告情報を示す画像を一定時間表示するとともに、前記広告情報を示す画像を表示中に、前記広告情報を示す画像の輝度、コントラスト、γ補正値、エッジ強調度のうち少なくとも１つを経時的に変化させても良い。
【０００５】
また、好ましくは、前記表示制御部は、前記広告情報を示す画像を一定時間表示するとともに、前記広告情報を示す画像を表示中に、前記広告情報を示す画像の大きさ、表示位置、画像内容のうち少なくとも１つを経時的に変化させても良い。
また、好ましくは、前記表示制御部は、前記広告情報を示す画像として動画像を表示しても良い。
【０００６】
また、好ましくは、前記取得部は、前記タイミング信号として、前記広告情報を取得してから前記表示部に表示するまでの時間を示す信号、または、前記広告情報を前記表示部に表示する時刻を示す信号を取得しても良い。
【０００７】
また、好ましくは、複数の前記広告情報と、前記複数の広告情報のうち前記表示部に表示すべき広告情報を選択するための選択情報とを関連付けて取得する取得部をさらに備えても良い。
【発明の効果】
【０００８】
本発明のウェアラブルディスプレイによれば、通常の画像の観察中に、ユーザの注意を喚起しつつ、効果的に広告情報を提供することができる。
【発明を実施するための最良の形態】
【０００９】
以下、本発明の実施の形態の例を、図を用いて説明する。
図１は、本発明の実施の形態の一例であるヘッドマウントディスプレイ（以下、「ＨＭＤ」と称する）の概略構成を示すブロック図である。
ＨＭＤ１００は、図１に示すように、頭部に装着される本体部１と、頭部以外の部分に装着される制御部２と、メディアプレイヤー部３と、操作部４とから構成されている。
【００１０】
本体部１には、画像を形成するＬＣＤからなる表示素子５、表示素子に光を当てるバックライト６、ＬＣＤを動作させるＬＣＤドライバ７を有している。制御部２には、全体の制御を統括するＣＰＵ８、画像処理を行う画像処理部９、メディアプレイヤー部３からの画像信号を記憶して画像処理部９に送るフレームメモリ１０、タイマ回路１１、ＣＰＵ８からの信号を受けてメディアプレイヤー部３を制御するプレイヤーコントローラ１２、外部から無線で情報を受信する受信部１３、後述する広告情報などを記憶する記憶部１４が内蔵されている。
【００１１】
通常の状態では、メディアプレイヤー部３からの画像信号がフレームメモリ１０を経由して画像処理部９で画像処理され、画像処理部９からの制御信号によりＬＣＤドライバ７が作動して、表示すべき画像を表示素子５に形成する。表示素子５で形成された画像は、図示しない光学系によりユーザの眼に投影される。
本実施の形態のＨＭＤ１００は、通常の画像の観察中に、ユーザの注意を喚起しつつ、表示素子５に広告情報を示す画像を表示する。
【００１２】
まず、広告情報の取得について説明する。
広告情報とは、インターネット上のサーバなどに予め用意された情報であり、広告主により用意されたものである。広告情報には、動画像や静止画像などの画像データ、文字データ、音声データなどが含まれる。また、広告情報は、時刻、地域などに関する属性情報が含まれる。
【００１３】
このような広告情報は、ユーザが、自宅などにおいてＨＭＤ１００とインターネットとを接続したコンピュータを介して取得するか、または、外出先において、ＨＭＤ１００が、受信部１３を介して取得する。ＣＰＵ８は、取得した広告情報を、記憶部１４に一旦記憶する。外出先において広告情報を取得する場合には、その発信元として、広告主の店舗や既存のアクセスポイントなどが考えられる。
【００１４】
なお、何れの場合も、複数の広告情報を同時に取得する構成としても良い。この場合、各広告情報に、表示の際に用いる選択情報（詳細は後述する）を属性情報として関連付けておくと良い。
次に、広告情報を表示するタイミングについて説明する。
ＣＰＵ８は、操作部４を介したユーザ指示に基づくタイミングか、または、タイミング信号に基づくタイミングで表示素子５に広告情報を表示する。操作部４を介したユーザ指示に基づくタイミングとは、広告情報を表示したいときに、ユーザが操作部４を介して指示を行った場合である。ＣＰＵ８は、このようなユーザ指示を検知すると、記憶部１４から広告情報を読み出し、画像処理部９で画像処理を施した後に、ＬＣＤドライバ７を作動させて、表示すべき画像を表示素子５に形成する。
【００１５】
一方、タイミング信号とは、広告情報を表示素子５に表示するタイミングを示す信号である。ＣＰＵ８は、このタイミング信号を、広告情報と同時、または、別々に取得する。タイミング信号には、広告情報を取得してから表示するまでの時間（例えば、「５分後」など）を示す信号と、広告情報を表示する時刻（例えば、「１０時３０分」など）を示す信号とがある。なお、ＣＰＵ８は、これらのタイミング信号に基づき、タイマ回路１１を制御して広告情報の表示を実行する。
【００１６】
前述したように、ユーザが、自宅などにおいてＨＭＤ１００とインターネットとを接続したコンピュータを介して広告情報を取得する場合には、同時にタイミング信号を取得しておいても良い。また、図２Ａに示すように、自宅などにおいて広告情報のみを予め取得しておき、外出先において、受信部１３を介してタイミング信号を取得しても良い。
また、前述したように、外出先において、受信部１３を介して広告情報を取得する場合には、図２Ｂに示すように、広告情報およびタイミング信号を同時に取得しても良い。また、図３に示すように、ある地点において、受信部１３を介して広告情報を取得し、別の地点において、受信部１３を介してタイミング信号を取得しても良い。何れの場合も、外出先においてタイミング信号を取得する場合には、その発信元として、広告主の店舗や既存のアクセスポイントなどが考えられる。
【００１７】
また、複数の広告情報をまとめて取得しておいた場合には、ユーザ指示やタイミング信号に応じて選択した広告情報を表示すると良い。具体的には、上述した選択情報に基づいて、まとめて取得した複数の広告情報のうち、表示素子５に表示すべき広告情報を選択すれば良い。
なお、何れの場合も、表示素子５に、メディアプレイヤー部３からの画像信号に基づく映画などの画像が表示されている場合、ＣＰＵ８は、広告情報を示す画像を鑑賞中の画像と同時または切り替えて表示する。図４に同時に表示する場合の表示例を示す。ＣＰＵ８は、例えば、図４に示すように、鑑賞中の画像に広告情報を示す画像（ｉ１）を重畳して表示する。このとき、画像の鑑賞を中断させないために、広告情報を示す画像（ｉ１）は、鑑賞中の画像中に小さなウィンドウなどを設けて表示するのが好ましい。
【００１８】
さらに、図５Ａに示すように、鑑賞中の画像と広告情報を示す画像（ｉ２）とを並列して表示しても良い。また、図５Ｂに示すように、鑑賞中の画像の一部にウィンドウを設け、ウィンドウ内に広告情報を示す画像（ｉ３）を移動させながらテロップのように表示しても良い。また、図５Ｃに示すように、広告情報を示す画像（ｉ４）の背景を透過にし、鑑賞中の画像に重畳して表示しても良い。
【００１９】
また、広告情報を示す画像を常に表示したり、表示したままにしておくと、本来の鑑賞を妨げることになるので、一定時間のみといった短時間での表示が好ましい。また、広告情報を示す画像を表示する際に、鑑賞中の画像を一時停止する構成としても良い。
また、急に広告情報を示す画像を表示することにより、ユーザが驚いたり違和感を感じるのを防ぐため、音声情報や画像アイコンなどを用いて広告情報を示す画像を表示することを予告する構成としても良い。また、広告情報を示す画像が徐々に濃く表示されるようにしても良い。さらに、広告情報が存在することを示すアイコンなどを表示し、ユーザによる実行指示が行われた後に具体的な画像を表示しても良い。
【００２０】
なお、ユーザがＨＭＤ１００を使用して映画などを鑑賞していない場合にも広告情報を表示しても良い。また、表示素子５に広告情報を示す画像を表示した後に、その広告情報を記憶部１４に記憶したままにしても良いし、表示後に消去しても良い。
最後に、広告情報をより効果的に表示するための表示方法について説明する。
第１の方法は、広告情報を示す画像の輝度、コントラスト、γ補正値エッジ強調度のうち少なくとも１つを経時的に変化させる方法である。ＣＰＵ８は、広告情報を示す画像を表示中に、画像処理部９およびバックライト６を制御し、広告情報を示す画像の輝度、コントラスト、γ補正値エッジ強調度のうち少なくとも１つを経時的に変化させる。このように、広告情報を示す画像を変化させることにより、ユーザの注意を喚起することができる。
【００２１】
第２の方法は、広告情報を示す画像の大きさ、表示位置、画像内容のうち少なくとも１つを経時的に変化させる方法である。ＣＰＵ８は、広告情報を示す画像を表示中に、画像処理部９を制御し、広告情報を示す画像の大きさ、表示位置、画像内容のうち少なくとも１つを経時的に変化させる。例えば、図６Ａおよび図６Ｂに示すように、広告情報を示す画像（ｉ５）の大きさを変化させても良い。また、図６Ｃに示すように、広告情報を示す画像（ｉ６）の表示位置を変化させても良い。なお、表示位置を変化させる場合には、画像酔いを防ぐために左右対称な位置において、左右対称な動きとすると良い。また、図７Ａに示すように、広告情報を示す画像（ｉ７）を画面の中央部から出発させて画面外周付近まで進行させ、その後、画面の周縁部を１周するような動きを繰り返させるようにしても良い。これにより、広告情報を示す画像（ｉ７）をユーザに確実に認識させることができる。また、図７Ｂおよび図７Ｃに示すように、広告情報を示す画像（ｉ８）の画像内容を変化させても良い。このように、広告情報を示す画像を変化させることにより、ユーザの注意を喚起することができる。この方法は、静止画面を表示しているときに特に有効である。
【００２２】
なお、上述した第１の方法および第２の方法を組み合わせて実行しても良い。
以上説明したように、本実施形態によれば、画像を表示する表示部と、ユーザ指示に基づくタイミングまたは所定のタイミングで、表示部に、画像と広告情報を示す画像とを同時または切り替えて表示する。したがって、通常の画像の観察中に、ユーザの注意を喚起しつつ、効果的に広告情報を提供することができる。
【００２３】
また、本実施形態によれば、表示部は、ユーザの片眼に対して画像を表示する。単眼のヘッドマウントディスプレイは片眼に画像を表示するという特徴上、画像を表示しない眼に刺激の強い（明るい、複雑など）シーンが提示されると、表示した画像が見づらくなるという問題がある。このように、表示した画像が見づらくなるタイミングで、ユーザが操作部４を介して指示を行うと、広告が表示されることでユーザの注意を表示部に戻しつつ、効果的に広告情報を表示することができる。
【００２４】
また、本実施形態によれば、広告情報を示す画像を一定時間表示するとともに、広告情報を示す画像を表示中に、広告情報を示す画像の輝度、コントラスト、γ補正値、エッジ強調度のうち少なくとも１つを経時的に変化させる。したがって、広告情報を示す画像の映像刺激をより強くし、ユーザの注意を広告情報の方に喚起することができる。
また、本実施形態によれば、広告情報を示す画像を一定時間表示するとともに、広告情報を示す画像を表示中に、広告情報を示す画像の大きさ、表示位置、画像内容のうち少なくとも１つを経時的に変化させる。したがって、このような変化により、ユーザの注意を表示部に戻し、その上で広告情報の方に注意を向けさせることができる。
【００２５】
また、本実施形態によれば、広告情報を示す画像として動画像を表示する。したがって、動画像の動きにより、ユーザの注意を広告情報の方に喚起することができる。
また、本実施形態によれば、広告情報を予め取得して保持する保持部をさらに備える。したがって、外出先において広告情報を取得するために必要な放送局などの大がかりな設備は不要である。したがって、設備コストを抑えつつ、ユーザに広告情報を提供することができる。
【００２６】
また、本実施形態によれば、広告情報と、その広告情報を表示するタイミングを示すタイミング信号とを関連付けて取得する。したがって、タイミング信号にしたがって広告情報を表示することにより、効果的なタイミングで広告情報をユーザに提供することができる。また、広告情報をその都度取得することにより、ウェアラブルディスプレイの記憶部の負荷を軽減することができる。
【００２７】
また、本実施形態によれば、タイミング信号として、広告情報を取得してから表示部に表示するまでの時間を示す信号、または、広告情報を表示部に表示する時刻を示す信号を取得する。したがって、より正確なタイミングで広告情報を表示することができる。
また、本実施形態によれば、複数の広告情報と、複数の広告情報のうち表示部に表示すべき広告情報を選択するための選択情報とを関連付けて取得する取得部をさらに備える。したがって、複数の広告情報をまとめて提供することができるので、大がかりな設備は不要である。また、複数の広告情報のうち、適当な広告情報を選択してユーザに提供することができる。
【００２８】
なお、本実施形態で説明した以外の方法およびタイミングで、広告情報およびタイミング信号を取得する構成としても良い。
また、視線認識技術などを用いて、ユーザの注意が表示部から逸れたときに広告情報を表示する構成としても良い。
また、本実施形態におけるタイミング信号に、ＧＰＳなどにより取得したＨＭＤ１００の使用位置を示す情報やアクセスポイントの位置を示す情報を加味して広告情報を表示するタイミングを決定する構成としても良い。
【００２９】
また、本実施形態では、ユーザ指示に基づくタイミングか、または、タイミング信号に基づくタイミングで広告情報を示す画像を表示する例を示したが、メディアプレイヤー部３の画像情報をＣＰＵ８で先読みし、ユーザが画面に集中できなくなるような画像が表示されるタイミングで、広告情報を示す画像を表示するようにしても良い。一般にユーザが画面に集中できなくなるのは、表示画像がコントラストが低い、あるいは模様の少ない画像である場合等に起こりやすい。したがって現在表示している時点より先の画像を予め読み込んで、ユーザが画面に集中できなくなるような画像が表示されるタイミングで、広告情報を示す画像を表示することによって、ユーザが画面に集中できなくなるタイミングでユーザの注意を喚起しつつ、効果的に広告情報を提供することができる。なお、表示画像がコントラストが低い、あるいは模様の少ない画像であるかどうかは、画面の輝度の度数分布、色度の度数分布、画像の空間周波数分布を調べること等により知ることができる。
【００３０】
また、本記各実施形態では、ウェアラブルディスプレイの一例として、ＨＭＤ１００を用いて説明を行ったが、ウェアラブルディスプレイの構成はこの構成例に限定されない。例えば、両眼に対して画像を表示可能なＨＭＤにも本発明を同様に適用することができる。また、携帯電話、ポータブルゲーム機など、表示機能と情報を受信する機能とを備えている装置であれば、本発明を同様に適用することができる。
【００３１】
また、本実施形態では、広告情報として、画像を用いて説明を行ったが、音声についても同様に本発明を適用することができる。
【図面の簡単な説明】
【００３２】
【図１】本実施形態のＨＭＤ１００の概略構成を示すブロック図である。
【図２】本実施形態のＨＭＤ１００の使用について説明する図である。
【図３】本実施形態のＨＭＤ１００の使用について説明する別の図である。
【図４】表示例を示す図である。
【図５】表示例を示す別の図である。
【図６】表示例を示す別の図である。
【図７】表示例を示す別の図である。
【符号の説明】
【００３３】
１…本体部，２…制御部，４…操作部，５…表示素子，８…ＣＰＵ，９…画像処理部，１３…受信部，１４…記憶部
【図１】
0005343304.tif 000002
【図２】
0005343304.tif 000003
【図３】
0005343304.tif 000004
【図４】
0005343304.tif 000005
【図５】
0005343304.tif 000006
【図６】
0005343304.tif 000007
【図７】
0005343304.tif 000008